(57)【要約】【課題】  アースドリル工法による基礎工事で大量に排出される掘削残土を低コストでかつ効率的に処理できる掘削残土の処理方法を提供する。【解決手段】  アースドリル工法による基礎杭工事で排出された掘削残土ｂを処理する。掘削孔ａから引き上げられた掘削用の回転バケット１内の掘削残土ｂを箱体４に移す。箱体４を振動させて掘削残土ｂを水とを分離する。次に、掘削残土ｂを箱体４の側壁４ａおよび側壁４ｂ，４ｂと箱体４内に圧縮手段として設置された圧縮板６によって圧縮することにより体積を減少させてから排出する。掘削残土ｂより分離された水は掘削孔ａに循環させて孔壁の安定液として利用する。【選択図】              図１
2005290887.tif 000002
【特許請求の範囲】
【請求項１】
アースドリル工法による基礎杭工事で排出された掘削残土の処理方法であって、掘削孔から引き上げられた掘削用の回転バケットから掘削残土を前記掘削孔近傍に設置した箱体に移し、当該箱体を振動させて掘削残土と水を分離するとともに、前記箱体に設けた圧縮手段によって圧縮することにより体積を減少させてから排出することを特徴とする掘削残土の処理方法。
【請求項２】
掘削残土より分離された水は掘削孔に循環させることを特徴とする請求項１記載の掘削残土の処理方法。
【発明の詳細な説明】
【技術分野】
【０００１】
本願発明は掘削残土の処理方法に関し、特にアースドリル工法による基礎杭工事で大量に排出された掘削残土を低コストでかつ効率的に処理することができる。
【背景技術】
【０００２】
場所打ちコンクリート杭の施工方法としてアースドリル工法が知られている。本工法においては、掘削孔内にベントナイト安定液を張って孔壁を保護しながら回転軸の先端に取り付けられた回転バケット(ドリリングバケット)によって掘削し、バケット内の掘削残土が一杯になったらその都度回転バケットを地上に引き上げ、底蓋を開けて排土し、そして回転バケットから排出された掘削土は、ダンプカー等の運搬手段によって処分場に産業廃棄物として搬出され、処理されている。
【特許文献１】特開平５−２３８９３号公報
【発明の開示】
【発明が解決しようとする課題】
【０００３】
しかし掘削残土は従来、産業廃棄物として処理されているため多大なコストがかかり、特に年々処分場の確保が困難になり、また最近の排ガス規制の強化により車両の買い替え等を強いられることもあって掘削残土の処理に要するコストが大幅に嵩む傾向にあり、大きな課題になっていた。
【０００４】
本願発明は、以上の課題を解決するためになされたもので、アースドリル工法による基礎工事で大量に排出された掘削残土を低コストでかつ効率的に処理できる掘削残土の処理方法を提供することを目的とする。
【課題を解決するための手段】
【０００５】
請求項１記載の掘削残土の処理方法は、アースドリル工法による基礎杭工事で排出された掘削残土の処理方法であって、掘削孔から引き上げられた掘削用の回転バケットから掘削残土を前記掘削孔近傍に設置した箱体に移し、当該箱体を振動させて掘削残土と水を分離するとともに、前記箱体に設けた圧縮手段によって圧縮することにより体積を減少させてから排出することを特徴とするものである。
【０００６】
本願発明は、特に掘削残土を箱体に移し、振動させて掘削残土と水とに分離した後、圧縮することで掘削残土の体積を相当量まで縮小させることができるため、運搬などに際して嵩張らず掘削残土をきわめて効率的にかつ低コストで処理することができる。
【０００７】
この場合、掘削残土を振動させて掘削残土と水を分離することで、相当量の水を脱水することができるが、その後に圧縮することでさらに脱水するため、掘削残土の体積を相当量まで縮小することができる。
【０００８】
請求項２記載の掘削残土の処理方法は、請求項１記載の掘削残土の処理方法において、掘削残土より分離された水は掘削孔に循環させることを特徴とするものである。掘削残土より分離された水を掘削孔に戻して孔壁の安定液として利用することにより、水も簡単に処理することができ、また経済的であり、しかも周辺を水浸しにして作業性を悪くすることもない。
【発明の効果】
【０００９】
本願発明は、掘削用の回転バケットから掘削残土を箱体に直接移し、振動させることにより掘削残土と水に分離してから箱体に設置された圧縮手段によって圧縮することで、掘削残土の体積を相当量まで縮小させることができるため、一度に大量の掘削残土を運搬することが可能になる等、掘削残土をきわめて効率的にかつ低コストで処理することができる。
【発明を実施するための最良の形態】
【００１０】
図１および図２は、本願発明の掘削残土の処理方法および掘削残土の処理装置を示し、図において符号１は縦孔ａを掘削するための回転バケット、２は回転バケット１によって掘削された掘削残土ｂを水と分離し、かつ圧縮して掘削残土ｂの体積を縮小させるための掘削残土処理装置(以下「装置」という)である。また、符号３は回転バケット１によって掘削された縦孔ａの上端部分に建て込まれたケーシングである。
【００１１】
装置２は、掘削残土を収容する箱体４とこの箱体４を振動させる起振機５と箱体４内に投入された掘削残土ａを圧縮するための圧縮手段(以下「圧縮板」という)６等を備えて構成されており、箱体４は略直方体形をなす箱状に形成され、上端部が開口している。
【００１２】
また、箱体４の長辺方向に対向する一端側の側壁４ａは、短辺方向に対向する側壁４ｂ，４ｂに一端側が回転自在に軸支された支持アーム４ｃ，４ｃによって支持され、かつ一端側が側壁４ｂ，４ｂの内側に軸支された油圧ジャッキ７，７によって上下方向に開閉自在になっている。
【００１３】
また、こうして設置された側壁４ａと対向する側に圧縮板６が設置され、圧縮板６はその背面側に設置された油圧ジャッキ８によって側壁４ｂ，４ｂ間を側壁４ａ方向に前進し、かつその反対方向に後退するようになっている。
【００１４】
このように構成された箱体４は、複数の支承ゴム９，９を介して基礎板１０の上に設置され、そして起振機５を駆動することにより支承ゴム９，９の上で激しく振動するようになっている。なお、符号１１は箱体４の底部に取り付けられ、掘削残土を脱水することにより流出した水を排水するための排水パイプである。
【００１５】
このような構成において、次に本願発明の掘削残土の処理方法を説明すると、最初に縦孔ａから引き上げた回転バケット１を装置２の箱体４の上に配置する。そして、回転バケット１の底蓋１ａを開けて回転バケット１内の掘削残土ｂを箱体４内に移す。
【００１６】
次に、起振機５を作動させて箱体４を振動させて掘削残土ｂを液状化させることにより掘削残土ｂと水を分離する。
【００１７】
次に、油圧ジャッキ８を作動させて圧縮板６を側壁４ａ側に前進させることにより掘削残土ｂを側壁４ａおよび側壁４ｂ，４ｂと圧縮板６とによって強く圧縮することにより脱水する。
【００１８】
次に、油圧ジャッキ８を作動させて圧縮板６を後退させ、また油圧ジャッキ７，７を作動させて側壁４ａを上方に上げて箱体４の先端側を開ける。そして、水と分離され、かつ圧縮することにより体積が縮小され、ほぼ固形化された掘削残土ｂをバックホー１２によって排出し、再び水を吸わないように養生を行い処分場に搬出する。また、掘削残土ｂから分離された水は排水パイプ１１を介して縦孔ａに孔壁の安定液として戻す。
【００１９】
以下、この作業を繰り返し行うことによって掘削残土をきわめて効率的にかつ低コストで処理することができる。
【産業上の利用可能性】
【００２０】
本願発明は、アースドリル工法で大量に排出された掘削残土をきわめて効率的にかつ低コストで処理することができる。
【図面の簡単な説明】
【００２１】
【図１】(ａ)，(ｂ)は、アースドリル工法による基礎杭工事で排出された掘削残土を処理する方法および装置を示す正面図である。
【図２】(ａ)，(ｂ)は、アースドリル工法による基礎杭工事で排出された掘削残土を処理する方法および装置を示す正面図である。
【符号の説明】
【００２２】
１  掘削用の回転バケット(ドリリングバケット)
２  装置(掘削残土処理装置)
３  ケーシング
４  箱体
５  起振機
６  圧縮板(圧縮手段)
７  油圧ジャッキ
８  油圧ジャッキ
９  支承ゴム
１０  基礎板
１１  排水パイプ
ａ  縦孔
ｂ  掘削残土
【図１】
2005290887.tif 000003
【図２】
2005290887.tif 000004